(57)【要約】【課題】傘を閉じる際に骨が折畳まれて最大限に扁平化されることができるポケットサイズの折畳み傘を提供する。【解決手段】ポケットサイズの折畳み傘は、各々の壁面が略長方形を呈し、互いに伸縮自在に係合する複数の平たい管からなる平たい中央軸１と、平たい上部ノッチ３及び平たい下部ランナ４の各々の長軸Ｘ上に一直線に配列される複数のピボット手段３３、４３により平たい上部ノッチ３及び平たい下部ランナ４に角度自在に取り付けられる複数の平面側の骨手段２ａ（又は装置）、並びに平たい上部ノッチ３及び平たい下部ランナ４のそれぞれの両端部に回動自在に取り付けられる複数の外端部の骨手段２ｅ（又は装置）を有する骨アセンブリ２とを有する。よって、骨アセンブリ２は、折畳み傘が最大限に扁平化されるように折畳まれることができる。【選択図】図１３
2007117395.tif 000002
【特許請求の範囲】
【請求項１】
互いに伸縮自在に係合する複数の平たい管からなる平たい中央軸と、
前記平たい中央軸の上端に形成される上部ノッチであって、その表面に長軸と短軸とが定められる平たい上部ノッチと、
前記中央軸上で摺動自在に保持される下部ランナであって、その表面に長軸と短軸とが定められる平たい下部ランナと、
傘地を備え、複数のピボット手段により前記平たい上部ノッチと前記平たい下部ランナのそれぞれに方向自在に取り付けられる複数の平面側の骨手段、及び前記平たい上部ノッチと前記平たい下部ランナのそれぞれの両端部に回動自在に取り付けられる複数の外端部の骨手段を有する骨アセンブリとを有し、
複数の前記ピボット手段は、前記平たい上部ノッチと前記平たい下部ランナのそれぞれに形成され、
複数の前記ピボット手段の各々は、前記平たい上部ノッチ又は前記平たい下部ランナに形成される前記長軸上に一直線に並べられ、
前記平面側の骨手段及び前記外端部の骨手段は、傘を閉じるときに、方向自在に又は回動自在に折畳まれることにより、傘を扁平化して折畳むことを特徴とするポケットサイズの平たい折畳み傘。
【請求項２】
前記平たい中央軸は、壁面が略長方形を呈する複数の平たい管を有し、
前記複数の平たい管は、前記平たい中央軸の多段折畳み構造を形成するために互いに伸縮自在に係合され、
前記平たい管は、最外部の前記平たい管から最内部の前記平たい管に向かって徐々に又は漸次的に数が増やされ、各々が前記平たい管の内部に向かって内側に陥没する凹部を有し、
２本の隣接する前記平たい管は、一方に形成される前記凹部と、もう一方に形成される前記凹部どうしを係合させることにより、互いに摺動自在に係合されることを特徴とする請求項１に記載のポケットサイズの平たい折畳み傘。
【請求項３】
複数の前記平たい管からなる前記平たい中央軸は、中央軸中心の周囲に位置する東方向と西方向との間を直線的に結んだ前記中央軸内部の緯度方向の中心線上に長軸を定め、北方向と南方向との間を直線的に結んだ前記中央軸内部の経度方向の中心線上に、前記中央軸中心で長軸と交差する短軸を定めることを特徴とする請求項１に記載のポケットサイズの平たい折畳み傘。
【請求項４】
前記平たい管の各々は、その壁面の内側に向かって陥没し、東、西、北、南、南東、南西、北東、北西からなる群から選択される一方向に向かって配置される少なくとも１つの凹部を有することを特徴とする請求項３に記載のポケットサイズの平たい折畳み傘。
【請求項５】
前記外端部の骨手段の各々は、前記平たい上部ノッチの外端部に回動自在に取り付けられる少なくとも１つの先端骨と、前記先端骨に回動自在に連結され、さらに前記平たい下部ランナの外端部に回動自在に取り付けられる少なくとも１つの伸張骨とを有することを特徴とする請求項１に記載のポケットサイズの平たい折畳み傘。
【請求項６】
前記平たい上部ノッチは、軸中心の回りに配置された平たい上部中央スリーブを有し、
前記平たい上部中央スリーブには、前記中央軸の最上段の管が取り付けられ、
前記平たい下部ランナは、中央軸を摺動自在に係合させるために前記平たい下部ランナの中央部分に形成される平たい下部中心スリーブを有することを特徴とする請求項１に記載のポケットサイズの平たい折畳み傘
【請求項７】
前記平面側の骨手段の各々は、上部の全方向ピボット手段により前記平たい上部ノッチに方向自在に取り付けられる少なくとも１つの先端骨と、前記先端骨に回動自在に連結され、さらに下部の全方向ピボット手段により前記平たい下部ランナに方向自在に取り付けられる少なくとも１つの伸張骨とを有することを特徴とする請求項１に記載のポケットサイズの平たい折畳み傘。
【請求項８】
上部の前記ピボット手段は、前記平たい上部ノッチの前記長軸上に一直線に並ぶように前記平たい上部ノッチ上に直線的に配列され、中央軸中心の両側かつ前記平たい上部ノッチの両端部の間に配置されることを特徴とする請求項１に記載のポケットサイズの平たい折畳み傘。
【請求項９】
前記上部の全方向ピボット手段の各々は、前記平たい上部ノッチに形成されるピボットホール中で鉛直軸回りに回動自在に係合される鉛直ピボットを有する上部骨ホルダと、平面側の骨アセンブリの前記先端骨を前記上部骨ホルダに回動自在に取り付けるために前記上部骨ホルダ内に横方向に形成される水平ピボットとを有し、
前記上部骨ホルダは、前記平たい上部ノッチの長軸と略直角をなす上部ピボット中心の回りを回転可能であり、
前記先端骨は、前記平たい上部ノッチに全方向に回動自在に取り付けられることを特徴とする請求項７に記載のポケットサイズの平たい折畳み傘。
【請求項１０】
前記下部の全方向ピボット手段は、前記平たい下部ランナの前記長軸上に一直線に並ぶように、前記平たい下部ランナ上に直線的に配列され、中央軸中心の両側かつ前記平たい下部ランナの両端部の間に配置されることを特徴とする請求項７に記載のポケットサイズの平たい折畳み傘。
【請求項１１】
前記下部の全方向ピボット手段の各々は、前記平たい下部ランナに形成されるピボットホール中で鉛直軸回りに回動自在に係合される鉛直ピボットを有する下部骨ホルダと、平面側の前記骨アセンブリの伸張骨を前記下部骨ホルダに回動自在に取り付けるために前記下部骨ホルダ内に横方向に形成される水平ピボットとを有し、
前記下部骨ホルダは、前記平たい下部ランナの長軸と略直角をなす下部ピボット中心の回りを回転可能であり、
前記伸張骨は、前記平たい下部ランナに全方向に回動自在に取り付けられることを特徴とする請求項１０に記載のポケットサイズの平たい折畳み傘。
【請求項１２】
前記ピボット手段の各々は、前記平たい上部ノッチ又は前記平たい下部ランナ内に陥没するソケット内で回動自在に保持されることを特徴とする請求項１に記載のポケットサイズの平たい折畳み傘。
【請求項１３】
内側の前記管が１つの前記凹部を有し、
前記内側の管の前記凹部は、前記内側の管に隣接する外側の管の凹部が形成されていない部分に対応し、
前記内側の管の前記凹部と、凹部が形成されていない前記外側の管の部分との間には、エアチャンバが定められることを特徴とする請求項２に記載のポケットサイズの平たい折畳み傘。
【発明の詳細な説明】
【技術分野】
【０００１】
本発明と同一の発明者に対して発行された米国特許（特許文献１参照）は、推論により図１に示されるようなポケットサイズの折畳み傘（以後、「従来技術」とする。）を開示するが、それは次の欠点を有する。
【０００２】
中央軸１は、それが伸縮自在に係合された複数の管からなる場合は強度が低下してしまい、特に径が大幅に縮小された最内部の管１ｉには変形や曲げや損傷が容易に生じてしまう。
【０００３】
各々の平面側の骨２ａはピボット中心Ｃの回りを回転するが、ピボット中心Ｃは平たい上部ノッチ３又は平たい下部ランナ４の側面部分に配置されており、軸Ｘからは離されている。そのため、平面側の骨が、軸Ｘに一致する“中心線”の近くに大きく偏ることはなく、傘を閉じても骨を最大限に扁平化することは不可能である。
【０００４】
本発明の発明者は、従来技術の欠点を見出し、最大限に扁平化されることができるポケットサイズの折畳み傘を発明した。
【特許文献１】米国特許第５５３３５３５号明細書
【発明の開示】
【発明が解決しようとする課題】
【０００５】
本発明の目的は、傘を閉じる際に骨が折畳まれて最大限に扁平化されることができるポケットサイズの折畳み傘を提供することにある。
【０００６】
本発明の別の目的は、各々の壁面が略長方形を呈し、互いに伸縮自在に係合する複数の平たい管からなる平たい中央軸と、平たい上部ノッチ又は平たい下部ランナの長軸上に一直線に並ぶピボット中心の回りを全方向に回転する複数の平面側の骨手段と、各々が平たい上部ノッチ又は平たい下部ランナの両端部に回動自在に取り付けられる複数の外端部の骨手段とを有するポケットサイズの折畳み傘を提供することにある。
【課題を解決するための手段】
【０００７】
本発明は、互いに伸縮自在に係合される複数の平たい管からなる平たい中央軸と、平たい上部ノッチ及び平たい下部ランナとを備える。平面側の骨手段と外端部の骨手段は全て、平たい上部ノッチ又は平たい下部ランナの長軸上に定められる中心線上に配置されており、それによりスリムでコンパクトな平たい折り畳み傘が形成される。
【発明の効果】
【０００８】
本発明における平面側の骨手段の直線的配列は、折畳まれた傘の体積を最小化し、本発明を従来技術よりも優れたものとする。従来技術においては平面側の骨手段が平たい上部ノッチ又は平たい下部ランナの各々の側面部（中心線上ではなく）に配置されるため、各々の骨手段を最大限に扁平化し、傘を閉じたときの折畳み体積を最小化することができない。
【発明を実施するための最良の形態】
【０００９】
各図面に示されるように、本発明は、互いに伸縮自在に係合する複数の平たい管からなり、その下部に平たいグリップ１０が形成される平たい中央軸１と、平たい中央軸１の先端に形成される平たい上部ノッチ３及び平たい中央軸１にスライド自在に取り付けられる平たい下部ランナ４のそれぞれに回動自在に取り付けられる複数の外端部の骨手段２ｅ及び平面側の骨手段２ａを有する骨アセンブリ２と、骨アセンブリに取り付けられる傘地５とを有する。
【００１０】
平たい中央軸１は、多段の折畳み構造を形成するために互いに伸縮自在に係合される複数の平たい管からなる。一番外側の（又は最下段の）管１１から一番内側の（又は最上段の）管１５までの各々に形成された凹部Ｖの数は徐々に又は漸次的に増やされる。図２〜９に示される通り、平たい中央軸１は、第１の又は最上段若しくは最外部の平たい管１１と、第２の又は下段の平たい管１２と、第３の又は中段の平たい管１３と、第４の又は上段の平たい管１４と、第５の又は最下段若しくは最内部の平たい管１５とを有する。全ての管は互いに収縮自在に係合され、平たい中央軸１を形成している。
【００１１】
平たい中央軸１と、平たい上部ノッチ３と、平たい下部ランナ４とはいずれも、東方向Ｅと西方向Ｗとの間を直線的に結んだ緯度方向の中心線に長軸Ｘ又は緯度方向軸Ｘを定め（図９、１０、１１、１２）、北方向Ｎと南方向Ｓを直線的に結んだ経度方向の中心線上に、軸中心０で長軸Ｘと交差する短軸Ｙ又は経度方向軸Ｙを定める。なお、本発明において「東」、「西」、「南」、「北」等の方向とは、平たい管等の断面図における座標軸上の各方向を意味しており、必ずしも地球上の方位のみを意味するものではない。また、本発明において、「緯度」及び「経度」の方向とは、図９、１０、１１、１２等における鉛直方向及び水平方向を意味しており、必ずしも地球上の方位のみを意味するものではない。
【００１２】
第１の又は最下段若しくは最外部の管１１（図４）は、長方形の壁面から平たい中央軸１の内部Ｉに向かって内側に陥没する凹部Ｖを１つも有さない。
【００１３】
第２の又は下段の管１２（図５）は、長方形の壁面から平たい中央軸１の内部Ｉに向かって内側に陥没する凹部Ｖ（中央軸中心０の周りの南西方向ＳＷに位置する。）を１つ有する。
【００１４】
第３の管１３は、それぞれ中央軸中心０の回りの南東方向ＳＷ及び北東方向ＮＥに位置し、長方形の壁面から内側に陥没する凹部Ｖを２つ有する。それにより、傘を閉じ又は開くために複数の管を伸ばし又は縮める際に互いに円滑な摺動による係合が与えられ、第３の管１３のＳＷ方向に位置する凹部Ｖが、第２の管の同じＳＷ方向に位置する凹部Ｖと摺動自在に係合される。
【００１５】
第４の管１４は、中央軸中心０の回りのＳＷ、ＳＥ、ＮＥの３方向に位置し、壁面から内側に陥没する凹部Ｖを３つ有する。それにより第４の管１４と第３の管１３の両方のＳＷ方向及びＮＥ方向の凹部Ｖどうしが摺動自在に係合される。
【００１６】
図９に示されるように、第５の又は最上段若しくは最内部の管は、中央軸中心０の回りのＳＷ、ＳＥ、ＮＥ、ＮＷ（北西）の４方向に位置し、壁面から内側に陥没する凹部Ｖを４つ有する。それにより、第５の管１５と第４の管１４の両方のＳＷ、ＳＥ、ＮＥ方向の凹部Ｖどうしが摺動自在に係合される。
【００１７】
したがって、凹部Ｖの数は、第１の又は最外部の管１１から第５の又は最内部の管１５に向かって徐々に又は漸次的に増やされ、その増分は外側の（又は下方の）管から隣接する内側の（又は上方の）管に向かって徐々に増やされる凹部Ｖ１つである。すなわち、全ての隣接する２本の管の間で（又は内側の管と外側の管との間で）、凹部Ｖが１つずつ増やされる。
【００１８】
ところで、全ての隣接する２本の管は、通常その間にエアチャンバＡを定める。例えば、凹部Ｖを１つも有さない第１の管１１と、ＳＷ方向に凹部Ｖを１つ有する第２の管１２は、図４の点線と図９に示されるように、ＳＷ方向にエアチャンバＡを定める。通常、第２の管１２と第３の管１３は、ＮＥ方向に別のエアチャンバＡを定める（図５及び９）。このようなエアチャンバＡは、複数の平たい管を摺動させて伸ばすか又は縮める際に、大きな摩擦抗力や“ブレーキ”が発生することを妨げるための空気流動の隙間を形成する。
【００１９】
平たい中央軸１をなす複数の平たい管の内部に形成される凹部Ｖは、以下の機能及び長所を有する。
【００２０】
（１）平たい管の壁面に形成される凹部Ｖは、管の強度、特に長方形を呈する壁面のうち幅が広い方の壁面の強度を増大させる補強リブのような機能を有する。
【００２１】
（２）２本の隣接する管の凹部Ｖは、隣接する管どうしを滑らかに、摺動自在に係合する。
【００２２】
（３）平たい管の壁面に形成される凹部Ｖにより、管が振動したりねじれたりすることが防止される。
【００２３】
図３に示されるように、第１の管１１の上方の狭小部分１１１と係合される第２の管１２の下方の拡張部分１２１は、２本の管１２と１１の動きを制限し、それらが伸ばされたときに分離してしまうことを妨げる。第２の管１２の下方の拡張部分１２１は、第２の管１２の陥没する凹部Ｖの下端の真下から形成されている。これに対応して、第１の管１１の上方の狭小部分１１１は、第１の管１１の上端の真下から形成されており、第１の管１１と第２の管１２との間にはエアチャンバＡが定められる。同様に、第２の管１２は、第３の管の下方の拡張部分１３１と係合される上方の狭小部分１２２を有し、第３の管１３は、第４の管１４の下方の拡張部分１４１と係合される上方の狭小部分１３２を有し、そして、第４の管１４は、第５の管１５の下方の拡張された部分１５１と係合される上方の狭小部分１４２を有する。
【００２４】
多段の折畳み構造を有する中央軸１を形成するために他の改良が加えられる場合がある。たとえば、図１４に示される３段の平たい中央軸１は、第１の管１１と、ＮＷ方向に形成される１つの凹部Ｖを有する第２の管１２と、ＮＷ方向及びＮＥ方向に形成される２つの凹部Ｖを有する第３の管１３とを有する。
【００２５】
図１５のように、本発明における５段の折畳み構造を有する中央軸１は、第２の管１２の南方向Ｓに１つの凹部Ｖを、第３の管の南方向Ｓ及び北方向Ｎに２つの凹部Ｖを、第４の管の南、北、東方向（Ｓ、Ｎ、Ｅ）に３つの凹部Ｖを、そして第５の管１５の東（Ｅ）、西（Ｗ）、南（Ｓ）、北（Ｎ）方向に４つの凹部Ｖを有しており、それにより第１から第５までの管（１１、１２、１３、１４、１５）を係合させる。
【００２６】
図１６に関して、図９に示される実施形態の複数の管を改良し、Ｅ、ＳＥ、ＳＷ、ＮＥ、ＮＷ方向に形成される５つの凹部Ｖを有する第６の管１６と、Ｅ、Ｗ、ＳＥ、ＳＷ、ＮＥ、ＮＷ方向に形成される６つの凹部Ｖを有する第７の管とを更に追加することにより、７段の折畳み構造を有する中央軸１が形成される。
【００２７】
よって、本発明の平たい中央軸１は、連関する管どうしの適切な位置又は方向に凹部Ｖを選択的に形成することにより多段の折畳み構造を有するよう改良されることができ、その位置又は方向は本発明において制限されない。
【００２８】
中央軸１をなす各々の管は、径が小さく、上方又は最上部（若しくは最内部）の管の強度が弱くなってしまう従来技術の円形管とは違い、壁面が適切な長さと幅を有する平たい形状又は略長方形を呈し、壁面に形成される凹部Ｖにより補強されているため、本発明の平たい中央軸１は、信頼性の高い強度及び操作性を備えた傘を提供する。なお、本発明において、略長方形とは、長方形そのものと、本発明の各実施形態において示される長方形に近い形状とを含む概念である。
【００２９】
図２及び１０〜１３に示されるように、複数の（又は２つの）外端部の骨手段２ｅが、平たい上部ノッチと平たい下部ランナのそれぞれの両端部に形成される。そして、複数の平面側の骨手段２ａは、通常、傘を閉じると平たい上部ノッチ３と平たい下部ランナ４のそれぞれの表面上で直線的に配列され、また、傘を開くときには方向自在に外側に向けて傾けられる。
【００３０】
外端部の骨手段２ｅの各々は、平たい上部ノッチ３の端部３２に回動自在に取り付けられる少なくとも１つの先端骨２１と、平たい下部ランナ４の端部４２に回動自在に取り付けられる少なくとも１つの伸張骨２２とを有しており、伸張骨２２は先端骨２１に回動自在に連結される。また、平たい上部ノッチ３は、中央軸中心０の周りに配置された平たい中心スリーブ３１を有しており、そこに中央軸１の最上段の管が取り付けられる。そして、平たい下部ランナ４の中心部分には平たい中央スリーブ４１が形成されており、それにより中央軸１がスライド自在に係合される。
【００３１】
平面側の骨手段２ａの各々は、上部の全方向ピボット手段３３により平たい上部ノッチ３に方向自在に取り付けられる少なくとも１つの先端骨２１と、下部の全方位ピボット４３により平たい下部ランナ４に方向自在に取り付けられる少なくとも１つの伸張骨２２とを有しており、平面側の骨手段２ａの伸張骨２２は先端骨２１に回動自在に連結される。また、上部の全方向ピボット手段３３は全て、平たい上部ノッチ３の長軸Ｘ上に一直線に並ぶように、平たい上部ノッチ３上に直線的に配列され（図１０、１１）、さらに中央軸中心０の両側かつ平たい上部ノッチ３の両端部３２の間に配置される。そして、上部の全方向ピボット手段３３の各々は、上部の鉛直ピボット３３２と、上部の水平ピボット３３３とを有する上部骨ホルダ３３１を有する。上部の鉛直ピボット３３２は、長軸Ｘと略直角をなす上部ピボット中心Ｃの回りで上部の軸ホルダ３３１を回転させるために平たい上部ノッチ３に形成される上部ピボットホール３０１内で鉛直方向に回動自在に係合されており、また、上部の水平ピボット３３３は、平面側の骨手段２ａの先端骨２１を上部骨ホルダ３３１に回動自在に取り付けるために上部骨ホルダ３３１に横方向に形成されており、それにより先端骨２１が平たい上部ノッチ３に全方向に回動自在に取り付けられる。なお、本発明において、略直角とは直角と、直角に近い角度を意味する。
【００３２】
下部の全方向ピボット手段４３は全て、平たい下部ランナ４の長軸Ｘ上に一直線に並ぶように、平たい下部ランナ４上に直線的に配列され（図１２）、さらに中央軸中心０の両側かつ平たい下部ランナ４の両端部４２の間に配置される。
【００３３】
下部の全方向ピボット手段４３の各々は、下部の鉛直ピボット４３２と、下部の水平ピボット４３３とを有する下部骨ホルダ４３１を有する。下部の鉛直方向ピボット４３２は、長軸Ｘと略直角をなす下部ピボット中心Ｃ１の回りで下部骨ホルダ４３１を回転させるために平たい下部ランナ４に形成される下部骨ホルダ４３１内で鉛直方向に回動自在に係合されており、また、下部の水平ピボット４３３は、平面側の骨手段２ａの伸張骨２２を、下部骨ホルダ４３１に回動自在に固定するために下部骨ホルダ４３１内に横方向に形成されており、それにより伸張骨２２が平たい下部ランナ４に全方向に回動自在に取り付けられる。
【００３４】
また、更に改良されたピボット手段３３、４３が本発明に関連して使用される場合がある。
【００３５】
本発明の骨アセンブリ２は、３段の折畳みや７段の折畳みなどの多段の折畳み構造を有するが、本発明においてはそれらにのみ制限されるわけではなく、多重の折畳み構造を有する傘を提供するものである。
【００３６】
上部の全方向ピボット手段３３の各々は、平たい上部ノッチ３の内部に陥没したソケット３０内に回動自在に保持される上部骨ホルダ３３１を有する。また、上部の全方向ピボット手段３３の各々は、上部の抑止外壁３０２を有しており、長軸Ｘと上部の抑止外壁３０２との間には、傘を開くときに外側に傾けられる先端骨２１を抑止するための鋭角Ｂが定められる。さらに、上部の全方向ピボット手段３３の各々は、傘を閉じるときに内側に折畳まれる先端骨２１を受け入れるために、ソケット３０内部に陥没した上部抑止内壁３０３を、上部抑止外壁３０２の反対側に有する。また、上部ピボットホール３０１は鉛直向きにソケット３０と連結される。
【００３７】
下部の全方向ピボット手段４３の各々は、平たい下部ランナ４の内部に陥没したソケット４０内に回動自在に保持される下部骨ホルダ４３１と、下部の抑止外壁４０２とを有しており、長軸Ｘと下部の抑止外壁４０２との間には、傘が開いたときに引っ張られる伸張骨２２を外側から抑止するための鋭角Ｂが定められる。また、傘を閉じるときに内側に折畳まれる伸張骨２２を受け入れるために、ソケット４０の内側に陥没した下部の抑止内壁４０３が、下部の抑止外壁４０２の反対側に設けられる。下部ピボットホール４０１は鉛直向きにソケット４０と連結される。
【００３８】
図１０のように傘を開いた際、平たい下部ランナ４の上昇時の骨アセンブリ２の伸張により、同時に傘地５が引っ張られ、全ての（又は４つの）平面側の骨手段２ａが方向自在に回動しながら傾けられ（北東ＮＥ、北西ＮＷ、南東ＳＥ、南西ＳＷの４方向に向かって）、複数の（又は２つの）外端部の骨手段２ｅが回動しながら伸張され（東Ｅ、西Ｗの２方向に向かって）、そして傘が完全に開かれる。この際、平面側の骨手段２ａの各々は、平たい上部ノッチ３又は平たい下部ランナ４の長軸Ｘから鋭角Ｂ（例えば約６０度）だけ外側に傾けられる。
【００３９】
また、傘を閉じる際には、平たい下部ランナ４は骨アセンブリ２を格納し、傘地５を閉じるために下方に動かされる。平面側の骨２ａと外端部の骨２ｅの全ては、傘を閉じる際に中央軸中心０に向かって内側に格納される。平面側の骨２ａの各々は、平たい上部ノッチ又は平たい下部ランナ４上で方向自在に回動されるため、長軸Ｘに向かって内側に傾けられることができ、それにより折畳まれた傘は最大限に扁平化される。
【００４０】
一般的に、下部の全方向ピボット手段３３と上部の全方向ピボット手段４３の全ては、平たい上部ノッチ３又は平たい下部ランナ４の中心線にて長軸Ｘ又は緯度方向軸Ｘ上に一直線に並ぶように、平たい上部ノッチ３又は平たい下部ランナ４上に直線的に配列される。そのため、骨アセンブリ２と傘地５は折畳まれて格納された後に大きく扁平化され、それにより傘の折畳み体積が最小化される。よって、容易かつ便利に傘の携帯、保管、取扱を行うことができる。
【００４１】
本発明は、その趣旨及び範囲から逸脱することなく、さらに修正される場合がある。例えば、長方形の平たい上部ノッチ３又は平たい下部ランナ４は、長方形の長さと幅の比を７対１などに設定することにより非常にスリムな形状になる。
【図面の簡単な説明】
【００４２】
【図１】従来技術による傘の平たい上部ノッチ及び関連要素を示す。
【図２】本発明に従って折畳まれた多段の折畳み傘を示す。
【図３】本発明における５段の折畳み構造をなす中央軸を形成するために伸縮自在に係合する複数の管を示す。
【図４】図３の４−４方向から見た管の断面図を示す。
【図５】図３の５−５の線より得られた断面図を示す。
【図６】図３の線６−６より得られた断面図を示す。
【図７】図３の線７−７より得られた断面図を示す。
【図８】図３の線８−８より得られた断面図を示す。
【図９】本発明の中央軸をなす一連の管の断面図を示す。
【図１０】本発明の傘が開いた状態を表す説明図を示す。
【図１１】本発明の平たい上部ノッチの上面図を示す。
【図１２】本発明の平たい下部ランナの上面図を示す。
【図１３】回動自在に取り付けられる骨の一部を有する平たい上部ノッチ及び平たい下部ランナを示す。
【図１４】本発明に関し、３段階に折畳まれる中央軸の別の好ましい実施形態の断面図を示す。
【図１５】本発明に関し、５段階に折畳まれる別の平たい中央軸を示す。
【図１６】本発明の６段階に折畳まれる平たい中央軸を示す。
【符号の説明】
【００４３】
０    中央軸中心、
１    中央軸、
２ａ    平面側の骨手段、
２ｅ    外端部の骨手段、
２１    先端骨、
２２    伸張骨、
３    平たい上部ノッチ、
３３  上部の全方向ピボット手段、
３０１  上部ピボットホール、
３３１  上部骨ホルダ、
３３２  上部の鉛直ピボット、
３３３  上部の水平ピボット、
４    平たい下部ランナ、
４３  下部の全方向ピボット手段、
４０１  下部ピボットホール、
４３１  下部骨ホルダ、
４３２  下部の鉛直ピボット、
５    傘地。
【図１】
2007117395.tif 000003
【図２】
2007117395.tif 000004
【図３】
2007117395.tif 000005
【図４】
2007117395.tif 000006
【図５】
2007117395.tif 000007
【図６】
2007117395.tif 000008
【図７】
2007117395.tif 000009
【図８】
2007117395.tif 000010
【図９】
2007117395.tif 000011
【図１０】
2007117395.tif 000012
【図１１】
2007117395.tif 000013
【図１２】
2007117395.tif 000014
【図１３】
2007117395.tif 000015
【図１４】
2007117395.tif 000016
【図１５】
2007117395.tif 000017
【図１６】
2007117395.tif 000018